(57)【要約】【課題】上枠を目立ち難く施工可能でありながらも、上枠の見込方向両側に設けられる天井材の端部を安定的に固定し得る建具用枠の取付構造を提供する。【解決手段】建具用枠１０の取付構造は、上枠１２の見込方向両側に天井材７，７が突き合わせられる構造とされており、前記上枠は、該上枠の見込寸法Ｗ２よりも見込寸法Ｗ１が小とされた上枠下地４に固定され、該上枠の見込方向両側には、見込方向両側のそれぞれの天井材の端部７ａ，７ａが固定される天井受桟部２１，２１が当接され、前記上枠下地の少なくとも見込方向一方側には、該上枠下地と前記天井受桟部との間を塞ぐように前記上枠の上面１２ａに当接された調整桟部２２が設けられている。【選択図】図１
2019011559.tif 000002
【特許請求の範囲】
【請求項１】
上枠の見込方向両側に天井材が突き合わせられる構造とされており、
前記上枠は、該上枠の見込寸法よりも見込寸法が小とされた上枠下地に固定され、該上枠の見込方向両側には、見込方向両側のそれぞれの天井材の端部が固定される天井受桟部が当接され、前記上枠下地の少なくとも見込方向一方側には、該上枠下地と前記天井受桟部との間を塞ぐように前記上枠の上面に当接された調整桟部が設けられていることを特徴とする建具用枠の取付構造。
【請求項２】
上枠の見込方向両側に天井材が突き合わせられる構造とされており、
前記上枠は、該上枠の見込寸法よりも見込寸法が大とされた上枠下地に固定され、該上枠下地の見込方向両側には、見込方向両側のそれぞれの天井材の端部が固定される天井受桟部が当接され、前記上枠の少なくとも見込方向一方側には、該上枠と前記天井受桟部との間を塞ぐように前記上枠下地の下面に当接された調整桟部が設けられていることを特徴とする建具用枠の取付構造。
【請求項３】
請求項１または２において、
前記少なくとも見込方向一方側の調整桟部と、この調整桟部の見込方向外側の天井受桟部と、は別体とされていることを特徴とする建具用枠の取付構造。
【請求項４】
請求項１乃至３のいずれか１項において、
前記上枠は、下面が見込方向両側に配される天井材の下面と略同一平面状となるように配されていることを特徴とする建具用枠の取付構造。
【請求項５】
請求項１乃至４のいずれか１項において、
前記上枠と前記天井受桟部とは、止具によって互いに固定されていることを特徴とする建具用枠の取付構造。
【発明の詳細な説明】
【技術分野】
【０００１】
本発明は、建具用枠の取付構造に関する。
【背景技術】
【０００２】
従来より、住居等の建物の開口を開閉する開き戸や引戸、折戸等の建具が建て付けられる建具用枠が知られている。このような建具用枠は、上枠と天井との間に垂れ壁を設けて施工されるものもあるが、上枠が目立ち易くなるという問題があった。
例えば、下記特許文献１には、上枠が天井下地に埋設された戸開閉縁の仕舞い構造が開示されている。
【先行技術文献】
【特許文献】
【０００３】
【特許文献１】特開２０１２−１５４１７０号公報
【発明の概要】
【発明が解決しようとする課題】
【０００４】
しかしながら、上記特許文献１に記載された戸開閉縁の仕舞い構造では、上枠の見込方向両側に設けられる天井下地の上枠側の端部が位置ずれし易くなる懸念がある。
【０００５】
本発明は、上記実情に鑑みてなされたものであり、上枠を目立ち難く施工可能でありながらも、上枠の見込方向両側に設けられる天井材の端部を安定的に固定し得る建具用枠の取付構造を提供することを目的としている。
【課題を解決するための手段】
【０００６】
上記目的を達成するために、本発明の第１発明に係る建具用枠の取付構造は、上枠の見込方向両側に天井材が突き合わせられる構造とされており、前記上枠は、該上枠の見込寸法よりも見込寸法が小とされた上枠下地に固定され、該上枠の見込方向両側には、見込方向両側のそれぞれの天井材の端部が固定される天井受桟部が当接され、前記上枠下地の少なくとも見込方向一方側には、該上枠下地と前記天井受桟部との間を塞ぐように前記上枠の上面に当接された調整桟部が設けられていることを特徴とする。
【０００７】
また、上記目的を達成するために、本発明の第２発明に係る建具用枠の取付構造は、上枠の見込方向両側に天井材が突き合わせられる構造とされており、前記上枠は、該上枠の見込寸法よりも見込寸法が大とされた上枠下地に固定され、該上枠下地の見込方向両側には、見込方向両側のそれぞれの天井材の端部が固定される天井受桟部が当接され、前記上枠の少なくとも見込方向一方側には、該上枠と前記天井受桟部との間を塞ぐように前記上枠下地の下面に当接された調整桟部が設けられていることを特徴とする。
【発明の効果】
【０００８】
本発明に係る建具用枠の取付構造は、上述のような構成としたことで、上枠を目立ち難く施工可能でありながらも、上枠の見込方向両側に設けられる天井材の端部を安定的に固定することができる。
【図面の簡単な説明】
【０００９】
【図１】（ａ）、（ｂ）は、本発明の一実施形態に係る建具用枠の取付構造の一例を模式的に示し、（ａ）は、図２におけるＸ−Ｘ線矢視に対応させた一部破断概略縦断面図、（ｂ）は、図２におけるＹ−Ｙ線矢視に対応させた一部破断概略横断面図である。
【図２】同建具用枠の取付構造を用いて施工された建具用枠を含む戸装置の一例を模式的に示す概略正面図である。
【図３】（ａ）〜（ｃ）は、同建具用枠の取付構造の施工方法の一例をそれぞれ模式的に示す一部破断概略正面図である。
【図４】（ａ）〜（ｃ）は、同施工方法の一例をそれぞれ模式的に示し、図１（ａ）に対応させた一部を省略した一部破断概略縦断面図である。
【図５】（ａ）、（ｂ）は、本発明の他の実施形態に係る建具用枠の取付構造の一例を模式的に示し、（ａ）は、図１（ａ）に対応させた一部破断概略縦断面図、（ｂ）は、図１（ｂ）に対応させた一部破断概略横断面図である。
【図６】本発明の更に他の実施形態に係る建具用枠の取付構造の一例を模式的に示し、図１（ａ）に対応させた一部を省略した一部破断概略縦断面図である。
【発明を実施するための形態】
【００１０】
以下に本発明の実施の形態について、図面に基づいて説明する。
なお、一部の図では、他図に付している詳細な符号の一部を省略している。
また、以下の各実施形態では、各実施形態に係る建具用枠の取付構造を用いて建具用枠が設置された状態を基準として上下方向等の方向を説明する。
【００１１】
図１〜図４は、第１実施形態に係る建具用枠の取付構造の一例を模式的に示す図である。
本実施形態に係る建具用枠の取付構造は、図１（ａ）に示すように、上枠１２の見込方向（壁厚方向に沿う方向）両側に天井材７，７が突き合わせられる構造とされている。つまり、同取付構造は、上枠１２が天井材７，７間に埋込状に配される構造とされている。本実施形態では、同取付構造は、上枠１２を、その下面１２ｂが見込方向両側に配される天井材７，７の下面７ｂ，７ｂと略同一平面状となるように配した構造とされている。
同取付構造を用いて設置される建具用枠１０は、図１及び図２に示すように、上枠１２及びこの上枠１２の両端に接合される一対の縦枠１４，１５を有した三方枠１１を備えている。この建具用枠１０は、建具を構成する戸パネル２３とによって戸装置１を構成する。
【００１２】
戸パネル２３は、一方向（上下方向）に長尺な略矩形平板状とされている。この戸パネル２３は、図１（ｂ）に示すように、出入口５を開閉する構成とされている。本実施形態では、戸パネル２３は、戸幅方向一端部の吊元側端部が出入口５の吊元側に上下方向に沿う軸回りに回転自在に支持される開き戸とされている。出入口５は、下側が床によって区画され、上側が上枠１２（本実施形態では、後記するように上枠１２の下面１２ｂに貼着された化粧シート８）によって区画され、開口幅方向両側が縦枠１４，１５によって区画されている。この出入口５の開口高は、床から天井までの高さとされている。つまり、出入口５の下方側に向く天面と天井面とが面一状とされている。
【００１３】
この出入口５を開閉する戸パネル２３の戸高寸法（長さ寸法）は、天井高に応じた寸法とされている。この戸パネル２３の戸高寸法は、上端部及び下端部が天井及び床に干渉しないように、天井高よりも僅かに小さい寸法としてもよい。この戸パネル２３の戸高寸法は、開口高（天井高）に応じて、２４００ｍｍ〜３０００ｍｍ程度としてもよい。また、戸パネル２３の戸幅寸法は、出入口５の開口幅に応じた寸法であればよく、６００ｍｍ〜１２００ｍｍ程度でもよい。また、戸パネル２３の戸厚寸法は、２０ｍｍ〜４０ｍｍ程度でもよい。
この戸パネル２３の吊元側端部は、一対の縦枠１４，１５のうちの吊元側に配された第１縦枠１４に蝶番等の回転連結部材２４を介して連結される。図例では、戸パネル２３の上端部及び下端部のそれぞれに回転連結部材２４，２４を固定した構成としている。なお、戸パネル２３及び回転連結部材２４，２４としては、図例のようなものに限られず、その他、種々の構成とされたものでもよい。
【００１４】
本実施形態に係る建具用枠の取付構造は、図４（ａ）に示すように、上枠１２の見込寸法（壁厚方向に沿う寸法）Ｗ２よりも見込寸法Ｗ１が小とされた上枠下地４に上枠１２が固定された構造とされている。上枠下地４は、住居等の建物の間仕切壁等の壁体６を貫通するように設けられる開口部２の上側を区画する（図１（ｂ）及び図３（ｂ）参照）。この上枠下地４は、横桟やまぐさ等の横架材または該横架材の下面側に固定された飼木（スペーサー材）等でもよい。この上枠下地４の見込寸法Ｗ１は、上枠１２の見込寸法Ｗ２よりも３ｍｍ以上小さい寸法とされたものでもよく、１０ｍｍ以上小さい寸法とされたものでもよい。また、この上枠下地４の上下方向に沿う見付寸法は、強度上の観点等から適宜の寸法でもよく、上枠１２の上下方向に沿う見付寸法（厚さ寸法）と足し合わせた寸法が３０ｍｍ以上となるような寸法でもよい。
【００１５】
また、同取付構造は、上枠１２の見込方向両側に、見込方向両側のそれぞれの天井材７，７の端部７ａ，７ａが固定される天井受桟部２１，２１を当接させた構造とされている。また、同取付構造は、上枠下地４の少なくとも見込方向一方側に、上枠下地４と天井受桟部２１との間を塞ぐように上枠１２の上面１２ａに当接された調整桟部２２を設けた構造とされている。本実施形態では、上枠下地４の少なくとも見込方向一方側に設けられた調整桟部２２と、この調整桟部２２の見込方向外側の天井受桟部２１と、を別体としている。これら天井受桟部２１と調整桟部２２とによって桟部材２０を構成している。また、同取付構造は、上枠下地４の見込方向両側に、調整桟部２２，２２を設けた構造とされている。つまり、本実施形態では、上枠下地４の見込方向両側に、桟部材２０，２０を設けた構造とされている。
【００１６】
上枠１２は、開口部２の開口幅方向に長尺状とされている。この上枠１２は、上下方向に厚さ方向を沿わせて配される帯板状とされている。この上枠１２の見付寸法は、３０ｍｍ未満でもよく、例えば、２０ｍｍ〜２５ｍｍ程度でもよい。また、この上枠１２の見込寸法Ｗ２は、壁体６の壁厚等に応じて適宜の寸法とされる両側の縦枠（第１縦枠１４及び第２縦枠１５）１４，１５の見込寸法に応じた寸法としてもよい。図例では、上枠１２の見込寸法Ｗ２を、両側の縦枠１４，１５の見込寸法と略同寸法とした例を示している。
【００１７】
この上枠１２は、その上面１２ａを上枠下地４の下面に当接させてねじや釘等の止具９やこれに加えて接着剤等によって固定されている。上枠下地４の下面に対向される上枠１２の上面１２ａは、略全面に亘って上枠下地４の下面に密着されている。
本実施形態では、この上枠１２は、その見込方向両端部が上枠下地４の見込方向両側面よりも見込方向外側に向けて突出するように固定されている。図例では、上枠下地４の見込方向両側面から突出する上枠１２の見込方向両端部の見込方向に沿う寸法が互いに略同寸法となるように上枠１２を固定した例を示している。つまり、上枠１２の見込方向中央部と上枠下地４の見込方向中央部とを見込方向で略一致させて上枠１２を上枠下地４に固定した例を示している。
【００１８】
上枠下地４の見込方向両側に設けられた調整桟部２２，２２は、開口部２の開口幅方向に長尺状とされ、四角柱状とされている。これら調整桟部２２，２２の長さ寸法は、上枠１２の長さ寸法以上とされている。後記するように三方枠１１を縦勝状に枠組みした場合には、これら調整桟部２２，２２の長さ寸法を、上枠１２の長さ寸法に両側の縦枠１４，１５の見付寸法（開口幅方向に沿う寸法）を足し合わせた寸法以上としてもよい。なお、見込方向両側の各調整桟部２２，２２は、それぞれ単一材からなるものに限られず、長手方向に突き合わせられた複数材からなるものでもよい。
これら調整桟部２２，２２の上下方向に沿う寸法は、上枠１２の見付寸法と足し合わせた寸法が３０ｍｍ以上となるような寸法でもよい。図例では、これら調整桟部２２，２２の上下方向に沿う寸法を、上枠１２の見付寸法よりも大とした例を示している。また、これら調整桟部２２，２２の上下方向に沿う寸法を、上枠下地４の上下方向に沿う寸法よりも小とした例を示している。
これら見込方向両側の調整桟部２２，２２の見込方向に沿う寸法を足し合わせた寸法は、上枠１２の見込寸法Ｗ２から上枠下地４の見込寸法Ｗ１を差し引いた寸法に略等しい寸法とされている。つまり、これら調整桟部２２，２２の各見込方向に沿う寸法は、図４（ｂ）に示すように、上枠下地４の見込方向外側に向く面から上枠１２の見込方向外側に向く見付面１２ｃ，１２ｃまでの見込方向に沿う寸法と略同寸法とされている。これら調整桟部２２，２２は、上枠下地４及び上枠１２の見込寸法Ｗ１，Ｗ２に応じて適宜の見込寸法となるように調整されたものでもよい。図例では、これら見込方向両側の調整桟部２２，２２の見込方向に沿う寸法を、互いに略同寸法とした例を示している。また、図例では、これら見込方向両側の調整桟部２２，２２を、互いに略同寸同形状とした例を示しているが、異なる寸法及び形状とされたものでもよい。
【００１９】
これら調整桟部２２，２２は、見込方向外側に向く面が上枠１２の見付面１２ｃ，１２ｃと略同一平面状となるように設けられている。また、これら調整桟部２２，２２は、見込方向中央側に向く面を略全面に亘って上枠下地４の見込方向外側に向く面に密着させて固定されている。また、これら調整桟部２２，２２は、下面を略全面に亘って上枠１２の見込方向両端部の上面１２ａに密着させて固定されている。後記するように三方枠１１を縦勝状に枠組みした場合には、これら調整桟部２２，２２の長手方向両端部の下面を、両側の縦枠１４，１５の上端面に密着させて固定した構造としてもよい。つまり、三方枠１１の上面に対向される調整桟部２２，２２の下面を略全面に亘って三方枠１１の上面に密着させた構造としてもよい。
これら調整桟部２２，２２は、ねじや釘等の止具９，９によって上枠下地４に固定されている。図例では、これら調整桟部２２，２２を、これらの見込方向外側から上枠下地４に見込方向に沿って止着された（捩じ込まれたまたは打ち込まれた）止具９，９によって固定した例を示している。
【００２０】
上枠１２の見込方向両側に設けられた天井受桟部２１，２１は、開口部２の開口幅方向に長尺状とされ、四角柱状とされている。これら天井受桟部２１，２１の長さ寸法は、上枠１２の長さ寸法以上とされている。上記同様、三方枠１１を縦勝状に枠組みした場合には、これら天井受桟部２１，２１の長さ寸法を、上枠１２の長さ寸法に両側の縦枠１４，１５の見付寸法を足し合わせた寸法以上としてもよい。なお、上記同様、見込方向両側の各天井受桟部２１，２１は、それぞれ単一材からなるものに限られず、長手方向に突き合わせられた複数材からなるものでもよい。
これら天井受桟部２１，２１の見込方向に沿う寸法及び上下方向に沿う寸法は、上枠１２の見込方向両側に突き合わせられる天井材７，７の端部７ａ，７ａを安定的に固定する観点等から適宜の寸法としてもよく、例えば、３０ｍｍ以上としてもよい。また、これら天井受桟部２１，２１は、縦断面積（長手方向に見た面積）が１１４０ｍｍ２以上とされたものでもよい。図４（ｃ）に示すように、これら天井受桟部２１，２１は、上下方向に沿う寸法が見込方向に沿う寸法よりも大とされている。また、図例では、これら天井受桟部２１，２１の上下方向に沿う寸法を、上枠１２の見付寸法よりも大とし、調整桟部２２，２２の上下方向に沿う寸法と概ね同寸法とした例を示している。また、図例では、これら見込方向両側の天井受桟部２１，２１を、互いに略同寸同形状とした例を示しているが、異なる寸法及び形状とされたものでもよい。
【００２１】
これら天井受桟部２１，２１は、図１（ａ）及び図４（ｃ）に示すように、これらの下方側に設けられる天井材７，７の下面７ｂ，７ｂが上枠１２の下面１２ｂと略同一平面状となるように、上枠１２の見込方向両側に固定されている。つまり、これら天井受桟部２１，２１は、これらの下面と上枠１２の下面１２ｂとの上下方向に沿う寸法が天井材７，７の厚さ寸法と略同寸法となるように固定されている。なお、上枠１２の見付面１２ｃ，１２ｃに、天井受桟部２１，２１の下面の高さ位置の位置決めの目印となる線や溝等の目印部を設けた構成としてもよい。
また、これら天井受桟部２１，２１は、見込方向中央側に向く面を略全面に亘って当接対象となる上枠１２の見付面１２ｃ，１２ｃ及び調整桟部２２，２２の見込方向外側に向く面に密着させて固定されている。上記同様、三方枠１１を縦勝状に枠組みした場合には、これら天井受桟部２１，２１の見込方向中央側に向く面を、両側の縦枠１４，１５の上端部の見付面に密着させて固定した構造としてもよい。つまり、三方枠１１の上端部の見付面に対向される天井受桟部２１，２１の見込方向中央側に向く面を略全面に亘って三方枠１１の上端部の見付面に密着させた構造としてもよい。
【００２２】
また、これら天井受桟部２１，２１は、ねじや釘等の止具９，９によって調整桟部２２，２２に固定されている。図例では、これら天井受桟部２１，２１を、これらの見込方向外側から各調整桟部２２，２２に見込方向に沿って止着された止具９，９によって固定した例を示している。
また、本実施形態では、これら天井受桟部２１，２１と上枠１２とは、止具９，９によって互いに固定されている。図例では、上枠１２の下面１２ｂ側から各天井受桟部２１，２１に対して斜め上方側に止着された止具９，９によって天井受桟部２１，２１と上枠１２とを固定した例を示している。
【００２３】
なお、上枠１２及び天井受桟部２１，２１に、斜め状に止着される止具９，９のガイド穴を設けた構成等としてもよい。また、上記のような態様に代えて、天井受桟部２１，２１の見込方向外側から上枠１２に対して斜め下方側に止着された止具によって天井受桟部２１，２１と上枠１２とを固定した態様等としてもよい。
また、図例では、これら天井受桟部２１，２１を、これらの上面が調整桟部２２，２２の上面よりも下方側となるように設けた例を示しているが、上方側となるように設けたり、調整桟部２２，２２の上面と略同一平面状となるように設けたりしてもよい。
また、これら天井受桟部２１，２１と上枠１２とは、止具９，９に加えて接着剤によって固定されていてもよい。
【００２４】
両側の縦枠１４，１５としての吊元側の第１縦枠１４及び戸先側の第２縦枠１５は、開口部２の開口高方向に長尺状とされ、開口幅方向に厚さ方向を沿わせて配される帯板状とされている。これら第１縦枠１４及び第２縦枠１５は、開口部２の開口幅方向両側を区画する縦枠下地３，３に固定されている。これら第１縦枠１４及び第２縦枠１５は、上記同様、ねじや釘等の止具によって縦枠下地３，３に固定されている。縦枠下地３，３は、間柱等の柱材または該柱材の開口幅方向内側に固定された飼木（スペーサー材）等でもよい。
また、これら第１縦枠１４及び第２縦枠１５は、図２及び図３（ｂ）、（ｃ）に示すように、開口部２の下側を区画する床から天井に至るように設けられる。本実施形態では、上枠１２が天井材７，７間に言わば埋込状に設けられるので、これら両側の第１縦枠１４と第２縦枠１５とによって言わば二方枠状の外観を呈する。また、これら第１縦枠１４及び第２縦枠１５の開口幅方向中央側に向く内側面（見込面）には、開口幅方向中央側に向けて突出するように戸当たり部１６，１６が設けられている。
【００２５】
また、本実施形態では、図１（ｂ）に示すように、これら第１縦枠１４及び第２縦枠１５の見込方向両側に額縁部材１７，１７，１７，１７を設けた構造としている。つまり、本実施形態では、これら第１縦枠１４及び第２縦枠１５は、ケーシング枠状とされている。額縁部材１７，１７，１７，１７は、壁厚方向に厚さ方向を沿わせて配される平板状部の壁幅方向（開口部２の開口幅方向に沿う方向）両側の各端部から壁芯に向けて突出するように係合片部及び当接片部を設けた構成とされている。これら額縁部材１７，１７，１７，１７は、係合片部が第１縦枠１４及び第２縦枠１５の見込方向両端部に設けられた受入溝に受け入れられ、当接片部が壁体６の壁面に当接されて設置されるものでもよい。なお、額縁部材１７，１７，１７，１７は、互いに同様の構成とされたものに限られず、例えば、壁厚等に応じて、壁厚方向一方側の額縁部材１７，１７の係合片部の壁厚方向に沿う寸法が他方側よりも大とされたようなものでもよい。
【００２６】
なお、上記した上枠１２及び額縁部材１７を含む両側の縦枠１４，１５を備えた建具用枠１０並びに桟部材２０を構成する天井受桟部２１，２１及び調整桟部２２，２２は、木質系材料から形成されたものでもよい。木質系材料としては、合板やＬＶＬ（単板積層材）等の木質積層板や、パーティクルボード等の木質ボード、インシュレーションボードやＭＤＦ（中密度繊維板）等の木質繊維板などを採用するようにしてもよい。また、全体が木質系材料からなるものに限られず、大半が木質系材料から形成されたものであればよい。また、これらのうち施工後に室内側に露出する額縁部材１７を含む両側の縦枠１４，１５は、少なくとも露出する部位が化粧面とされたものでもよい。
また、第１縦枠１４及び第２縦枠１５は、このような額縁部材１７が設けられるケーシング枠状とされたものに限られず、固定枠状とされたものでもよい。さらには、これら第１縦枠１４及び第２縦枠１５が壁体６の壁面を構成する壁クロス（壁紙）等の化粧シートによって一連状に覆われる構成とされたものでもよい。つまり、内装仕上げが施された状態において建具用枠１０を構成する上枠１２及び両側の縦枠１４，１５が露出しない構成とされたものでもよい。
【００２７】
次に、本実施形態に係る建具用枠の取付構造の施工方法の一例について説明する。
まず、図３（ａ）〜（ｃ）に示すように、上枠１２の両端に第１縦枠１４及び第２縦枠１５が接合されて枠組みされた三方枠１１（建具用枠１０）を開口部２に設置する。この際、上記のように、上枠１２の下面１２ｂが上枠１２の見込方向両側に設けられる天井材７，７の下面７ｂ，７ｂと略同一平面状となるように三方枠１１を設置する。また、この三方枠１１は、上枠１２を上記のように上枠下地４に固定し、両側の縦枠１４，１５を縦枠下地３，３に固定して設置するようにしてもよい。また、この三方枠１１を構成する上枠１２と両側の縦枠１４，１５とは、止具やダボ等の接合部、接着剤等によって接合されたものでもよい。また、図例では、これら上枠１２と両側の縦枠１４，１５とを縦勝状に接合した例を示している。
【００２８】
そして、図４（ａ）、（ｂ）に示すように、上枠下地４の見込方向両側に調整桟部２２，２２を固定する。なお、これら調整桟部２２，２２を上枠下地４に固定した後に、上枠１２を含む三方枠１１（建具用枠１０）を設置するようにしてもよい。
また、図４（ｂ）、（ｃ）に示すように、上枠１２の見込方向両側に天井受桟部２１，２１を固定する。なお、これら天井受桟部２１，２１は、三方枠１１（建具用枠１０）を設置する前に上枠１２または調整桟部２２，２２に対して固定されたものでもよい。
そして、上枠１２の見込方向両側に天井材７，７の端部７ａ，７ａを突き合わせ、これら天井材７，７の端部７ａ，７ａを見込方向両側の天井受桟部２１，２１のそれぞれに固定する。これにより、建具用枠１０によって区画される出入口５の周囲の天井構造が構成される。
これら天井材７，７は、一般的な天井下地ボードでもよく、例えば、石膏ボード（プラスターボード）等の防火被覆を構成するボードでもよい。また、これら天井材７，７の端部７ａ，７ａは、適宜の止具によって天井受桟部２１，２１に固定するようにしてもよい。また、これら天井材７，７の他の部位を、天井受桟部２１，２１に対して略直交状や、これらから離間して平行状に設けられる野縁等の天井下地に固定するようにしてもよい。
【００２９】
そして、図１（ａ）に示すように、上枠１２の下面１２ｂ及び上枠１２の見込方向両側の天井材７，７の下面７ｂ，７ｂに一連状に化粧シート（表面仕上材）８を貼着する。この化粧シート８は、合成樹脂シートや、壁クロス（壁紙）等でもよい。
また、両側の縦枠１４，１５に、額縁部材１７，１７，１７，１７を取り付けるようにしてもよい。また、このように設置された建具用枠１０に対して戸パネル２３を建て付けるようにしてもよい。
なお、上記施工手順は、一例に過ぎず、各部材の機能を阻害しない限りにおいて別手順で行うようにしてもよく、その他、種々の変形が可能である。
【００３０】
本実施形態に係る建具用枠の取付構造は、上述のような構成としたことで、上枠１２を目立ち難く施工可能でありながらも、上枠１２の見込方向両側に設けられる天井材７，７の端部７ａ，７ａを安定的に固定することができる。
つまり、上枠１２の見込方向両側に天井材７，７が突き合わせられる構造とされているので、上記のように、上枠１２が見込方向両側の天井材７，７間に埋込状に設けられることとなり、上枠１２を目立ち難くすることができる。
また、上枠１２の見込方向両側に、見込方向両側のそれぞれの天井材７，７の端部７ａ，７ａが固定される天井受桟部２１，２１を当接させた構造としている。従って、上枠１２の見込方向両側に設けられる天井材７，７の端部７ａ，７ａを上枠１２の見込方向両側に当接された各天井受桟部２１，２１に対して安定的に固定することができる。つまり、天井材７，７の端部７ａ，７ａを、上枠１２の見込方向両側に間隔を空けて設けられた野縁等の天井下地に固定する態様と比べて、これらを安定的に固定することができる。
【００３１】
また、上枠下地４の見込寸法Ｗ１が上枠１２の見込寸法Ｗ２よりも小とされているので、上枠下地４の少なくとも見込方向一方側と天井受桟部２１との間に隙間が形成されることとなるが、この隙間を塞ぐように調整桟部２２が設けられている。従って、上枠下地４の少なくとも見込方向一方側の天井受桟部２１を安定的に設けることができる。また、上枠１２の周囲に上枠下地４、天井受桟部２１，２１及び調整桟部２２，２２を密着して設けることができ、上枠１２の周囲に隙間が形成され難くなり、耐火性を向上させることができる。
また、上記のように、上枠１２及び調整桟部２２，２２の上下方向に沿う寸法を足し合わせた寸法を３０ｍｍ以上とし、天井受桟部２１，２１を、短辺が３０ｍｍ以上で断面積が１１４０ｍｍ２以上とされたものとすれば、以下の効果を奏する。木質系材料から形成された上枠１２によって防火被覆となる天井材７，７が部分的に貫通された構造でありながらも、上記のような調整桟部２２，２２及び天井受桟部２１，２１を設けたことで、省令準耐火構造の基準に適合可能な構造とすることができる。
【００３２】
また、本実施形態では、上枠下地４の少なくとも見込方向一方側の調整桟部２２と、この調整桟部２２の見込方向外側の天井受桟部２１と、を別体としている。従って、これら調整桟部２２と天井受桟部２１とを一体的に設けたものと比べて、見込寸法Ｗ１，Ｗ２が異なる上枠下地４や上枠１２にも調整桟部２２の見込方向に沿う寸法を適宜の寸法とすることで対応することができ、汎用性を向上させることができる。
また、本実施形態では、上枠１２を、両側の縦枠１４，１５とによって三方枠１１に枠組みされた状態で設置した構造としている。従って、これら上枠１２及び両側の縦枠１４，１５を個別に設置したものと比べて、施工性を向上させることができ、互いの位置ずれ等を生じ難くすることができる。
【００３３】
また、本実施形態では、上枠１２を、下面１２ｂが見込方向両側に配される天井材７，７の下面７ｂ，７ｂと略同一平面状となるように配した構造としている。従って、上枠１２の下面１２ｂが天井材７，７の下面７ｂ，７ｂよりも上方側や下方側に位置するように配されるものと比べて、上枠１２をより目立ち難くすることができる。また、上述のように、上枠１２の下面１２ｂ及び見込方向両側の天井材７，７の下面７ｂ，７ｂに亘って一連状に化粧シート８を貼着したり、表面仕上材を塗布したりすることができる。これによれば、上枠１２を設けた構造として施工性を容易にしながらも、上枠１２を設けていないような外観となり、すっきりとした印象を与えることができる。
【００３４】
また、本実施形態では、上枠１２と天井受桟部２１，２１とを、止具９，９によって互いに固定した構造としている。従って、天井受桟部２１，２１を、上枠１２に対して止具９，９によって固定していないものと比べて、天井受桟部２１，２１を上枠１２に対してより強固に密着させることができる。これにより、天井受桟部２１，２１に対して固定される天井材７，７の端部７ａ，７ａが上枠１２に対してより位置ずれし難くなる。この結果、上記のように化粧シート８等の表面仕上材を一連状に設ける場合にも、上枠１２と天井材７との境界部に段差等が形成され難くなり、表面仕上材を見栄え良く設けることができる。
【００３５】
次に、本発明に係る他の実施形態について、図面を参照しながら説明する。
なお、以下の各実施形態では、上記第１実施形態との相違点について主に説明し、同様の構成については、同一の符号を付し、その説明を省略または簡略に説明する。
【００３６】
図５は、第２実施形態に係る建具用枠の取付構造の一例を模式的に示す図である。
本実施形態に係る建具用枠の取付構造は、図５（ａ）に示すように、桟部材２０Ａの構成が上記第１実施形態とは主に異なる。また、本実施形態に係る建具用枠の取付構造を用いて設置される建具用枠１０Ａは、図５（ｂ）に示すように、上枠１２Ａ及び両側の縦枠１４Ａ，１５Ａに加え、これら両側の縦枠１４Ａ，１５Ａ間に設置される中間縦枠（中方立）１８を備えている。また、本実施形態では、この建具用枠１０Ａに建て付けられる戸パネル２３Ａを、戸幅方向にスライド自在とされた引戸としている。本実施形態では、戸パネル２３Ａに開閉される出入口５Ａは、その開口幅方向両側が中間縦枠１８と戸先側の第２縦枠１５Ａとによって区画される。また、両側の縦枠１４Ａ，１５Ａに、この戸パネル２３Ａの戸幅方向の各端部を受け入れる戸じゃくり溝を設けた構成としている。また、上枠１２Ａに、この戸パネル２３Ａをスライド自在に吊下支持する上レール１３を設けた構成としている。また、上枠１２Ａに、この上レール１３が嵌め込まれる受入溝１２ｄを設けた構成としている。図例では、上枠１２の受入溝１２ｄを、上レール１３の概ね全体を受入可能とした構成としている。
【００３７】
上レール１３には、戸パネル２３Ａの上端部に設けられたランナー２４Ａをガイドするガイド溝１３ａが設けられている。この上レール１３は、ガイド溝１３ａの溝幅方向両側を区画する両側壁部の下端部から互いに向き合う方向に突出し、ランナー２４Ａに設けられた転動体を走行自在に案内支持する案内片部を設けた構成とされている。また、上レール１３は、両側壁部の下端部からレール幅方向外側に向けて突出し、上枠１２Ａの受入溝１２ｄの両開口縁に当接される突片部を設けた構成とされている。
また、床側に戸パネル２３Ａの下端側をガイドするガイドピン１９を設けた構成としている。図例では、戸パネル２３Ａの移動軌跡に沿って間隔を空けて複数のガイドピン１９を設けた例を示している。戸パネル２３Ａの下端部には、このガイドピン１９が差し入れられるガイド溝２５が設けられている。ガイドピン１９は、床に埋込状に設けられるケーシングに対して上下方向に出没自在とされ、磁石を有した構成とされたものでもよい。この場合は、戸パネル２３Ａのガイド溝２５に、このガイドピン１９に対応させて磁石や磁性体等を設けてもよい。
【００３８】
また、本実施形態では、図５（ｂ）に示すように、建具用枠１０Ａ及び戸パネル２３Ａを備えた戸装置１Ａに、開放位置の戸パネル２３Ａが沿うように納められる透光壁パネル２６を設けた構成としている。この透光壁パネル２６は、透光性を有した透光板２７の四周を囲むようにフレームを固定した構成とされている。この透光壁パネル２６は、壁厚方向一方側に片寄って設置され、その壁厚方向他方側に、開放位置の戸パネル２３Ａが沿うように納められる構成とされている。また、この透光壁パネル２６は、上端部が上枠１２Ａに固定され、下端部が床に固定され、パネル幅方向一端部が戸尻側の第１縦枠１４Ａに固定され、パネル幅方向他端部が中間縦枠１８に固定される。図例では、第１縦枠１４Ａ及び中間縦枠１８に、この透光壁パネル２６のパネル幅方向両端部が嵌め込まれる受入溝を設けた例を示している。なお、上枠１２Ａにも透光壁パネル２６の上端部が嵌め込まれる受入溝を設けた構成としてもよい。
【００３９】
中間縦枠１８は、見込寸法が両側の縦枠１４Ａ，１５Ａの見込寸法よりも小とされ、壁厚方向一方側に片寄って設置され、その壁厚方向他方側にスライド自在に戸パネル２３Ａが配される。この中間縦枠１８は、上端部が上枠１２Ａに固定され、下端部が床に固定されて設置される。
なお、この中間縦枠１８は、透光壁パネル２６に一体的または固定的に設けられたものでもよい。例えば、中間縦枠１８が透光壁パネル２６のパネル幅方向一方側のフレームを構成するものとしてもよい。
【００４０】
桟部材２０Ａは、図５（ａ）に示すように、本実施形態では、天井受桟部２１Ａと調整桟部２２Ａとが一体的に設けられた構成とされている。また、桟部材２０Ａは、天井受桟部２１Ａの上面と調整桟部２２Ａの上面とが面一状とされ、長手方向に見て略Ｌ字状とされている。また、上枠下地４の見込方向両側の桟部材２０Ａ，２０Ａを、互いに略同寸同形状とした例を示している。また、本実施形態では、一体的に設けられた天井受桟部２１Ａ及び調整桟部２２Ａを貫通させるように上枠下地４に止着した止具９によって桟部材２０Ａを上枠下地４に固定した構造としている。また、上枠１２Ａの見込方向一方側の受入溝１２ｄが設けられた部位と見込方向一方側の桟部材２０Ａの天井受桟部２１Ａとを、受入溝１２ｄの溝側壁から斜め状に止着した止具９によって固定した構造としている。なお、このような態様に代えて、または加えて、桟部材２０Ａの天井受桟部２１Ａの見込方向外側から上枠１２Ａに対して止具９を止着した態様等としてもよい。
また、本実施形態のように上枠１２Ａに受入溝１２ｄ等の凹溝を設けた場合には、上枠１２Ａの溝底側部位の上下方向に沿う寸法と調整桟部２２Ａまたは上枠下地４の上下方向に沿う寸法とを足し合わせた寸法が３０ｍｍ以上となる構造としてもよい。
【００４１】
次に、本実施形態に係る建具用枠の取付構造の施工方法の一例について説明する。
なお、上記第１実施形態との相違点について主に説明する。
まず、上記同様、上枠１２Ａの両端に第１縦枠１４Ａ及び第２縦枠１５Ａが接合されて枠組みされた三方枠１１Ａを開口部２に設置する。また、透光壁パネル２６及び中間縦枠１８を設置する。また、上枠下地４の見込方向両側に桟部材２０Ａ，２０Ａを固定し、上枠１２Ａの見込方向両側に突き合わせられた天井材７，７の端部７ａ，７ａを、見込方向両側の天井受桟部２１Ａ，２１Ａのそれぞれに固定する。
【００４２】
そして、上枠１２Ａの下面１２ｂ及び上枠１２Ａの見込方向両側の天井材７，７の下面７ｂ，７ｂに一連状に化粧シート（表面仕上材）８を貼着する。図例では、上レール１３の両側壁部の下端部の突片部に見込方向両側の化粧シート８，８を突き合わせた例を示しているが、このような態様に限られない。例えば、上枠１２Ａの受入溝１２ｄの両開口縁に略至るように貼着された化粧シート８，８の端部を、上レール１３の両側の突片部によって押さえるような態様としてもよい。
また、両側の縦枠１４Ａ，１５Ａに、額縁部材１７，１７，１７，１７を取り付け、建具用枠１０Ａに対して戸パネル２３Ａを建て付けるようにしてもよい。
なお、上記施工手順は、一例に過ぎず、各部材の機能を阻害しない限りにおいて別手順で行うようにしてもよく、その他、種々の変形が可能である。
上記構成とされた本実施形態に係る建具用枠の取付構造においても、上記第１実施形態と概ね同様の効果を奏する。
【００４３】
図６は、第３実施形態に係る建具用枠の取付構造の一例を模式的に示す図である。
本実施形態に係る建具用枠の取付構造は、図６に示すように、上枠１２Ｂの見込寸法Ｗ２Ａよりも見込寸法Ｗ１Ａが大とされた上枠下地４Ａに上枠１２Ｂが固定された構造とされている。上枠下地４Ａの見込寸法Ｗ１Ａは、上枠１２Ｂの見込寸法Ｗ２Ａよりも３ｍｍ以上大きい寸法とされていてもよい。また、上枠１２Ｂは、その上面１２ａが略全面に亘って上枠下地４Ａの下面に密着されて上枠下地４Ａに固定されている。
また、同取付構造は、上枠下地４Ａの見込方向両側に、見込方向両側のそれぞれの天井材７，７の端部７ａ，７ａが固定される天井受桟部２１Ｂ，２１Ｂを当接させた構造とされている。また、同取付構造は、上枠１２Ｂの少なくとも見込方向一方側に、上枠１２Ｂと天井受桟部２１Ｂとの間を塞ぐように上枠下地４Ａの下面に当接された調整桟部２２Ｂを設けた構造とされている。
【００４４】
また、本実施形態では、上記第１実施形態と概ね同様、上枠１２Ｂの少なくとも見込方向一方側に設けられた調整桟部２２Ｂと、この調整桟部２２Ｂの見込方向外側の天井受桟部２１Ｂと、を別体としている。また、上枠１２Ｂの見込方向両側に、調整桟部２２Ｂ，２２Ｂを設けた構造とされている。つまり、上記各実施形態と概ね同様、上枠１２Ｂの見込方向両側に、桟部材２０Ｂ，２０Ｂを設けた構造とされている。
また、上枠１２Ｂの見込方向中央部と上枠下地４Ａの見込方向中央部とを見込方向で略一致させて上枠１２Ｂを上枠下地４Ａに固定している。つまり、見込方向両側における上枠１２Ｂの各見付面１２ｃ，１２ｃから上枠下地４Ａの見込方向外側に向く面までの見込方向に沿う寸法が互いに略同寸法とされている。
【００４５】
調整桟部２２Ｂ，２２Ｂは、下面が天井受桟部２１Ｂ，２１Ｂの下面と略同一平面状となるように設けられている。つまり、調整桟部２２Ｂ，２２Ｂの下面には、天井材７，７の端部７ａ，７ａが当接される。つまりは、これら調整桟部２２Ｂ，２２Ｂの上下方向に沿う寸法は、上枠１２Ｂの見付寸法から天井材７の厚さ寸法を差し引いた寸法に略等しい寸法とされている。また、これら見込方向両側の調整桟部２２Ｂ，２２Ｂの見込方向に沿う寸法を足し合わせた寸法は、上枠下地４Ａの見込寸法Ｗ１Ａから上枠１２Ｂの見込寸法Ｗ２Ａを差し引いた寸法に略等しい寸法とされている。つまり、これら見込方向両側の調整桟部２２Ｂ，２２Ｂの各見込方向に沿う寸法は、上枠１２Ｂの各見付面１２ｃ，１２ｃから上枠下地４Ａの見込方向外側に向く面までの見込方向に沿う寸法と略同寸法とされている。これら調整桟部２２Ｂ，２２Ｂは、上記同様、上枠下地４Ａ及び上枠１２Ｂの見込寸法Ｗ１Ａ，Ｗ２Ａに応じて適宜の見込寸法となるように調整されたものでもよい。
【００４６】
また、これら調整桟部２２Ｂ，２２Ｂは、見込方向外側に向く面が上枠下地４Ａの見込方向外側に向く面と略同一平面状となるように設けられている。また、これら調整桟部２２Ｂ，２２Ｂは、見込方向中央側に向く面を略全面に亘って上枠１２Ｂの見付面１２ｃ，１２ｃに密着させて固定されている。また、上記と概ね同様、三方枠１１Ｂを縦勝状に枠組みした場合には、この三方枠１１Ｂの上端部の見付面に対向される調整桟部２２Ｂ，２２Ｂの見込方向中央側に向く面を、略全面に亘って三方枠１１Ｂの上端部の見付面に密着させた構造としてもよい。
また、これら調整桟部２２Ｂ，２２Ｂは、上面を略全面に亘って上枠下地４Ａの見込方向両端部の下面に密着させて固定されている。また、これら調整桟部２２Ｂ，２２Ｂは、ねじや釘等の止具９，９によって上枠下地４Ａ及び上枠１２Ｂの両方または一方に固定されている。図例では、上枠１２Ｂの下面１２ｂ側から斜め上方側に止着した止具９，９によってこれら調整桟部２２Ｂ，２２Ｂを上枠１２Ｂに対して固定した例を示しているが、このような態様に限られない。見込方向外側から止着した止具９，９によってこれら調整桟部２２Ｂ，２２Ｂを上枠１２Ｂに対して固定した態様等としてもよい。
【００４７】
見込方向両側の天井受桟部２１Ｂ，２１Ｂは、見込方向に沿う寸法及び上下方向に沿う寸法が上記同様とされたものでもよい。また、これら天井受桟部２１Ｂ，２１Ｂの上下方向に沿う寸法は、これらを上枠下地４Ａに止具９，９によって固定可能なように、調整桟部２２Ｂ，２２Ｂの上下方向に沿う寸法よりも大とされていてもよい。
これら天井受桟部２１Ｂ，２１Ｂは、上記各実施形態と概ね同様、これらの下方側に設けられる天井材７，７の下面７ｂ，７ｂが上枠１２Ｂの下面１２ｂと略同一平面状となるように、上枠下地４Ａの見込方向両側に固定されている。
また、これら天井受桟部２１Ｂ，２１Ｂは、見込方向中央側に向く面を略全面に亘って当接対象となる上枠下地４Ａの見込方向外側に向く面及び調整桟部２２Ｂ，２２Ｂの見込方向外側に向く面に密着させて固定されている。
これら天井受桟部２１Ｂ，２１Ｂは、ねじや釘等の止具９，９によって上枠下地４Ａ及び調整桟部２２Ｂ，２２Ｂの両方または一方に固定されていてもよく、さらに上枠１２Ｂにも固定されていてもよい。図例では、これら天井受桟部２１Ｂ，２１Ｂを、見込方向外側から止着した止具９，９によって上枠下地４Ａに対して固定した例を示しているが、このような態様に限られない。見込方向外側から止着した止具９，９によってこれら天井受桟部２１Ｂ，２１Ｂを調整桟部２２Ｂ，２２Ｂまたはこれに加えて上枠１２Ｂに対して固定した態様等としてもよい。
【００４８】
なお、図示は省略しているが、本実施形態においても、建具用枠１０Ｂを構成する三方枠１１Ｂには、第２縦枠１５Ｂに加え、第１縦枠等が設けられ、また、建具用枠１０Ｂには、戸装置１Ｂを構成する適宜の戸パネルが建て付けられる。
上記構成とされた本実施形態に係る建具用枠の取付構造も上記と概ね同様にして施工可能である。
また、上記構成とされた本実施形態に係る建具用枠の取付構造においても、上記第１実施形態と概ね同様の効果を奏する。
また、上記各実施形態に係る建具用枠の取付構造において説明した互いに異なる構成を、適宜、組み替えたり、組み合わせたりして適用するようにしてもよい。例えば、上記第３実施形態において説明した調整桟部２２Ｂ，２２Ｂと天井受桟部２１Ｂ，２１Ｂとが一体的に設けられたものとしてもよく、その他、種々の組み替えや組み合わせが可能である。
【００４９】
また、上記各実施形態では、戸装置１，１Ａ，１Ｂに一枚の戸パネル２３，２３Ａを設けた例を示しているが、両開き状（観音開き状）や、引き違い状、両引き状（引き分け状）に配される複数枚の戸パネル２３，２３Ａを設けた構成としてもよい。また、戸パネル２３，２３Ａは、開き戸や引戸に限られず、二枚の戸体を折畳及び展開自在に連結した折戸を構成するものでもよい。
また、上記各実施形態では、下枠を設けていない建具用枠１０，１０Ａ，１０Ｂを例示したが、下枠を備えた四方枠状とされたものでもよい。
上記各実施形態に係る建具用枠の取付構造を用いて施工される建具用枠１０，１０Ａ，１０Ｂ、桟部材２０，２０Ａ，２０Ｂ及び戸装置１，１Ａ，１Ｂの各部の具体的な構成は、上記したような構成に限られず、その他、種々の変形が可能である。
【符号の説明】
【００５０】
４，４Ａ              上枠下地
７                    天井材
７ａ                  端部
７ｂ                  下面
９                    止具
１０，１０Ａ，１０Ｂ  建具用枠
１２，１２Ａ，１２Ｂ  上枠
１２ａ                上面
１２ｂ                下面
２１，２１Ａ，２１Ｂ  天井受桟部
２２，２２Ａ，２２Ｂ  調整桟部
Ｗ１，Ｗ１Ａ          上枠下地の見込寸法
Ｗ２，Ｗ２Ａ          上枠の見込寸法
【図１】
2019011559.tif 000003
【図２】
2019011559.tif 000004
【図３】
2019011559.tif 000005
【図４】
2019011559.tif 000006
【図５】
2019011559.tif 000007
【図６】
2019011559.tif 000008